(57)【要約】      （修正有）【課題】自動車の内燃エンジンから排出される排気ガスを選択触媒還元の手法で浄化するもので、ディーゼル酸化触媒の触媒活性貴金属との望ましくない反応ををなくす又は少なくとも低減する。【解決手段】排気ガス３の浄化用の排気ガス浄化装置２と、前記排気ガス浄化装置２に対して下流側に間隔をおいて配置され、排気ガスシステム１に還元剤を導入可能とする還元剤供給装置４と、前記排気ガス浄化装置２と前記還元剤供給装置４との間に配置され、刃形に構成される少なくとも１個の還元剤偏向部材８を有する還元剤偏向装置７を備えることで、還元剤の先駆物質（例えば、尿素水溶液）又は還元剤自体（例えば、アンモニア）と、前記排気ガス浄化装置（例えば、ディーゼル酸化触媒コンバータ）との不適な接触を回避する。【選択図】図２
2014062548.tif 000002
【特許請求の範囲】
【請求項１】
自動車の内燃エンジンから排出される排気ガス（３）を浄化するための排気ガス浄化装置（２）と、前記排気ガス浄化装置（２）に対する下流側に間隔をおいて配置され、排気ガスシステム（１）に還元剤を導入可能とする還元剤供給装置（４）と、前記排気ガス浄化装置（２）と前記還元剤供給装置（４）との間に配置され、刃形に構成される少なくとも１個の還元剤偏向部材（８）を有する還元剤偏向装置（７）と、を備える自動車用排気ガスシステム。
【請求項２】
前記還元剤が当該排気ガスシステム（１）内に導入される流れ方向（Ｓ）は、少なくとも部分的に当該排気ガスシステム（１）内の排気ガスの流れ方向（１０２）に反する方向に向かう請求項１に記載の排気ガスシステム。
【請求項３】
前記還元剤供給装置（４）により前記排気ガスシステム（１）内に導入され、前記還元剤偏向部材（８）に当たる還元剤が、前記排気ガス浄化装置（２）から離れる方向に偏向されるように、前記還元剤偏向部材（８）が構成される請求項１又は請求項２に記載の排気ガスシステム。
【請求項４】
前記還元剤供給装置（４）により当該排気ガスシステム（１）内に導入され、前記還元剤偏向部材（８）に当たる還元剤が蒸発するように、前記還元剤偏向部材（８）が構成される請求項１乃至請求項３のいずれかに記載の排気ガスシステム。
【請求項５】
前記還元剤偏向装置（７）は、前記排気ガス浄化装置（２）の出口側部（１０）に配置及び／又は取り付けられる請求項１乃至請求項４に記載の排気ガスシステム。
【請求項６】
前記還元剤偏向装置（７）は、前記排気ガス浄化装置（２）の前記出口側部（１０）の領域に配置される複数の還元剤偏向部材（８）を備える請求項１乃至請求項５のいずれかに記載の排気ガスシステム。
【請求項７】
前記還元剤偏向部材（８）は、前記還元剤の前記出口側部（１０）への拡散方向（Ｓ）に、不透明体の形で配置及び／又は構成されている請求項６に記載の排気ガスシステム。
【請求項８】
前記出口側部（１０）は、前記排気ガス浄化装置（２）の出口断面エリア（１１）を規定し、
前記出口断面エリア（１１）には、少なくとも１個の取付部材（１２）が実質的に支柱の形で構成されて配置され、それぞれの前記取付部材（１２）は、前記排気ガス浄化装置（２）の前記出口側部（１０）の端側にあり、
少なくとも１個の還元剤偏向部材（８）が、少なくとも１個の前記取付部材（１２）上に配置される請求項６又は請求項７に記載の排気ガスシステム。
【請求項９】
前記還元剤偏向部材（８）は、前記取付部材（１２）上に一体形成されている請求項１乃至請求項８のいずれかに記載の排気ガスシステム。
【請求項１０】
前記出口断面エリア（１１）の領域では、少なくとも５個、好ましくは１０個、最も好ましくは少なくとも２０個の前記取付部材（１２）が互いに間隔をおいて配置される請求項８又は請求項９に記載の排気ガスシステム。
【請求項１１】
前記取付部材（１２）は、前記出口断面エリア（１１）に線状に配置され、前記還元剤偏向部材（８）は、前記取付部材（１２）上に互いに間隔をおいてそれぞれ配置され、その結果、還元剤偏向部材のグリッドが前記還元剤偏向部材（８）により形成される前記８乃至請求項１０のいずれかに記載の排気ガスシステム。
【請求項１２】
前記取付部材（１２）は、前記排気ガス浄化装置（２）の前記出口断面エリア（１１）の領域において、互いに略平行、かつ間隔をおいて配置される直線支柱としてそれぞれ構成される請求項８乃至請求項１１のいずれかに記載の排気ガスシステム。
【請求項１３】
前記取付部材（１２）は、前記排気ガス浄化装置（２）の前記出口断面エリアの領域に互いに間隔をおいて配置される湾曲状の支柱としてそれぞれ構成される請求項８乃至請求項１２のいずれかに記載の排気ガスシステム。
【請求項１４】
前記還元剤偏向部材（８）は、Ａ軸方向に湾曲状に又は角度を有してそれぞれ構成され、軸端部（１３）により、前記取付部材（１２）に締結される請求項１乃至請求項１３のいずれかに記載の排気ガスシステム。
【請求項１５】
請求項１乃至請求項１４のいずれかに記載の排気ガスシステム（１）と、前記排気ガスシステム（１）の上流側に配置され、前記排気ガスシステム（１）に流動的に接続される内燃エンジンと、を備える自動車。
【発明の詳細な説明】
【技術分野】
【０００１】
本発明は、自動車用排気ガスシステム、及び当該排気ガスシステムを有する自動車に関する。
【背景技術】
【０００２】
排気ガスの汚染物質排出を確実に減少させるため、車両触媒コンバータにより、自動車の内燃エンジン内において正常操作条件下で生成される排気ガスの浄化が可能とされている。当該排気ガスの浄化は、排気ガス処理装置内における内燃エンジンの排気ガスに還元剤を添加して生じさせる。このような排気ガスへの還元剤の添加に基づく既知の方法は、いわゆる選択接触還元（ＳＣＲ）である。この方法では、排気ガス内の窒素酸化物成分が化学的に還元される。
【０００３】
このような選択接触還元は、例えば、高濃度の酸素を有する排気ガスに囲まれた環境下となるディーゼルエンジンのように、燃料燃焼中に高度の空気過剰を発生させる内燃エンジンについて特に好適である。このような排気ガス内の高濃度酸素に対しての窒素酸化物の還元には、従来の３方向触媒コンバータは使用不可能であるため、ディーゼルエンジンに関しては、ＣＯ及びＣｍＨｎの排出を減らす酸化触媒コンバータが頻繁に使用される。例えば、プラチナやパラジウム等の触媒活性貴金属が、いわゆる「ウォッシュコート」に取り入れられる。
【発明の概要】
【発明が解決しようとする課題】
【０００４】
実際の選択触媒還元は、ディーゼル酸化触媒コンバータの下流側の排気ガス処理装置の領域で生じる。そして、アンモニアを還元剤として使用できるが、当該アンモニアは排気ガス処理装置に利用可能とする必要がある。但し、排気ガスシステム内へのアンモニア供給では、アンモニアは通常排気ガスシステム内に直接注入されるよりも、還元剤先駆物質の形で排気ガスシステム内に導入される。当該先駆物質は、例えば、尿素水溶液とすることができ、これは「アドブルー（Adblue）」という名前で商業的に知られている。このような先駆物質についての実際の還元剤（アンモニア）への変換は、排気ガス処理装置の下流側にある内燃エンジンの領域における排気ガス流れ内で、熱的かつ／又は触媒コンバータを用いて行わせることができる。
【０００５】
還元剤の排気ガスシステムへの供給は、例えば、インジェクタによる注入で行うことができ、当該インジェクタが、実際のディーゼル酸化触媒コンバータの下流側に配置可能とされている。ただし、このような配置によると、特定の設置環境では、注入された尿素水溶液の水滴がディーゼル酸化触媒コンバータの表面に当たり、そこに不適な沈殿物を形成するおそれがある。尿素水溶液から形成されるアンモニアも同様である。例えば、「ウォッシュコート」によるディーゼル酸化触媒の触媒活性貴金属とアンモニアとの接触では、プラチナ又はパラジウムによりアンモニアの窒素酸化物に対して望ましくない反応をもたらすおそれがある。
【０００６】
したがって、本発明の目的は、上記課題をなくす又は少なくとも低減する実施の形態を提供することである。
【課題を解決するための手段】
【０００７】
上記課題は、独立請求項の事項により解決される。好ましい実施の形態としては、従属請求項の事項がある。
【０００８】
本発明は、例えば、ディーゼル酸化触媒コンバータ「ＤＯＣ」等の排気ガスシステムの排気ガス浄化装置と、例えば、尿素水溶液を排気ガスシステムへ導入するためのインジェクタタイプの還元剤供給装置と、刃形で構成されている少なくとも１個の還元剤偏向部材とを有する還元剤偏向装置を提供する思想全般に基づくものである。
【０００９】
このような還元剤偏向装置により、還元剤の先駆物質（例えば、尿素水溶液）又は還元剤自体（例えば、アンモニア）と、排気ガス浄化装置（例えば、ディーゼル酸化触媒コンバータ）との不適な接触を回避することができる。これは、特に排気ガス浄化装置内の触媒活性貴金属に適用される。
【００１０】
還元剤及び還元剤先駆物質溶液を、排気ガス浄化装置から少なくとも１個の還元剤偏向部材により偏向することができ、その結果、先駆物質、又は先駆物質から形成される還元剤が、ディーゼル酸化触媒コンバータに浸透することを十分又は完全に防止することができる。
【００１１】
これにより、排気ガス浄化装置における沈殿物又は窒素酸化物等の副産物の望ましくない形成が十分に又は完全に回避されるため、結果として、排気ガスシステムの効率向上がもたらされる。
【００１２】
また、本発明に係る排気ガスシステムは、自動車の内燃エンジンから排出される排気ガスを浄化する排気ガス浄化装置と、排気ガス浄化装置の下流側に間隔をおいて配置される還元剤供給装置と、を備える。このような還元剤供給装置により、還元剤を排気ガスシステム内に導入することができる。ここで、「還元剤供給装置」とは、アンモニア等の還元剤を直接排気ガスシステム内に導入する装置のみを意味するものではなく、この用語は、還元剤供給装置により、例えば、尿素水溶液等の還元剤の先駆物質が排気ガスシステム内に導入され、そしてこの先駆物質が、排気ガスシステム内での化学反応等により、実際の還元剤に変換される間接的還元剤供給を含む意味であることは明らかである。
【００１３】
また、好適な実施形態として、還元剤が排気ガスシステム内に導入される流れ方向は、少なくともその一部分が、排気ガスシステム内における排気ガスの流れ方向に反する方向に向かうように、還元剤供給装置を構成及び／又は配置できる。換言すれば、少なくとも最初は、還元剤が排気ガス流れ方向に反する方向成分を有する動きの拡散等の方向を有するものとされ、当該還元剤は、これよりも上流側に配置される排気ガス浄化装置の方向に向かって移動するように導入される。これにより、還元剤の蒸発のために用いることが可能な時間と、排気ガスとの混合のために用いることが可能な時間が増加する。そしてこれは、限られたスペースであっても還元剤の導入の効率を改善する。還元剤の（主な）流れ方向の傾きは、排気ガスの（主な）流れ方向に対して４５°±３０°が好ましく、更には４５°±１５°が特に好ましい。
【００１４】
また、好適な実施形態として、還元剤供給装置により排気ガスシステム内に導入されて還元剤偏向部材に当たる還元剤が、排気ガス浄化装置から離れるような方向に偏向するように当該還元剤偏向部材を構成することを挙げることができる。このような偏向であっても、還元剤供給装置により排気ガスシステム内に導入される還元剤は、僅かな割合のみではあるが、排気ガス浄化装置に到達し、望ましくない副産物又は沈殿物を生じさせる可能性がある。排気ガス浄化装置に還元剤が全く到達しないのが理想的である。還元剤偏向装置及びその還元剤偏向部材による、排気ガス浄化装置から離れる方向への当該還元剤の偏向によれば、還元剤が排気ガス浄化装置の部分、特にその表面（例えば、プラチナ被覆）に接触せず、汚染もしないため、その結果、排気ガス浄化装置の表面に対しての還元剤の望ましくない化学反応を回避することができる。
【００１５】
さらに、他の実施の形態として、還元剤供給装置により排気ガスシステム内に導入され、還元剤偏向部材に当たる液体の還元剤が蒸発するような追加又は代替の対策を採り得る。インパクト・ベポライザー表面を備えることにより、還元剤の蒸発を補助することができる。特に、還元剤偏向部材は、排気ガス流れに対して流出側に各ベポライザー表面を有することができ、その結果、それは流入排気ガスにより加熱され、これが還元剤の蒸発を補助する。当該蒸発のかなりの割合が還元剤偏向部材において生じるように、還元剤と還元剤偏向部材とを接触させる液体還元剤導入が行われる実施の形態が特に好ましい。
【００１６】
特に好ましい実施形態としては、還元剤偏向装置は、排気ガス浄化装置における出口側部分に配置及び／又は取り付けられる。このようにして、還元剤又はその先駆物質が、排気ガス浄化装置の下流側の還元剤供給装置により排気ガスシステム内に導入されるようにすることで、排気ガスの流れ方向に反する方向に還元剤又はその先駆物質が排気ガスシステムに注入される場合に、還元剤偏向装置を特に効果的に使用することができる。
【００１７】
ここでは、排気ガスラインにおける排気ガス浄化装置の下流側に配置される単独の部品として、還元剤偏向装置を構成可能としているが、技術的に非常に簡単な方法で構成される実施の形態として、還元剤偏向装置を、例えば、溶接等により、排気ガス浄化装置の出口側部に直接取り付けることも可能である。
【００１８】
また、排気ガスシステムに注入される還元剤又はその先駆物質から排気ガス浄化装置を十分に保護するために、還元剤偏向装置は、単一の還元剤偏向部材に限られず、排気ガス浄化装置の出口側部の領域に配置される複数の還元剤偏向部材を全て備えたものとすることができる。
【００１９】
還元剤又は先駆物質の上記出口側部に向かう拡散方向での還元剤偏向部材の不透明体配置、又は／及び不透明体構成により、還元剤偏向装置の特に効果的な断面を形成可能である。ここで「拡散方向」は、還元剤又はその先駆物質が、還元剤供給装置により排気ガスシステム内へ注入される方向を意味する。
【００２０】
更なる実施の形態では、出口側部は、排気ガス浄化装置の出口断面エリアと規定される。この出口断面エリアの領域には、実質的に支柱の形で構成されている少なくとも１個の取付部材を配置することができ、これは出口開口部の端部に配置されている。次に、少なくとも１個の取付部材に、少なくとも１個の還元剤偏向部材を配置可能である。実質的に支柱の形で構成される上記取付部材を、例えば、溶接により、出口開口部に取り付けることができる。実質的に支柱の形で構成される当該取付部材の使用により、機械的に非常に安定した還元剤偏向部材の配置を出口側部の領域で達成でき、そして選択的に、事前説明した不透明体配置又は構成を、簡単な方法で実現することも可能である。
【００２１】
技術的に非常に簡単な方法で構成し、そのため好適な価格にできるものとして、還元剤偏向部材を取付部材上に一体形成したものを挙げることができる。
【００２２】
自動車内の排気ガスシステムを実現するために特に好ましい実施の形態としては、互いに間隔をおいて配置される少なくとも２個、好ましくは４個、最も好ましくは１０個の取付部材を、出口断面エリアの領域に配置することができる。そして各取付部材を、ここでは支柱の形で構成することができる。このように複数の取付部材を備えることにより、多数の還元剤偏向部材をそれぞれの取付部材に配置可能になるため、排気ガスシステム内に導入される還元剤又はその先駆物質を特に効果的に偏向させることが可能となる。
【００２３】
好ましくは、取付部材を、出口断面エリアに線形に配置することができる。そして還元剤偏向部材を、取付部材上に互いに間隔をおいて配置でき、その結果、還元剤偏向部材のグリッドが、還元剤偏向部材により形成される。このような還元剤偏向部材のグリッド状配置により、還元剤又はその先駆物質の特に効果的な偏向が達成される。
【００２４】
技術的に非常に簡単な方法で構成される実施の形態としては、取付部材を直線支柱としてそれぞれ構成してもよい。これらの支柱は、排気ガス浄化装置の出口断面エリアの領域で互いに略平行かつ間隔をおいて配置される。
【００２５】
この代替の変形例では、取付部材を、排気ガス浄化装置の出口断面エリアの領域で、同様に間隔をおいて配置可能な湾曲状支柱として構成してもよい。
【００２６】
還元剤偏向部材による還元剤又はその先駆物質の更に向上した偏向は、軸方向に湾曲状とされ、又は角度が付けられた還元剤偏向部材の構成からなる好ましい実施の形態によって達成される。本実施の形態では、還元剤偏向部材は、各取付部材の軸方向端部に締結される。
【００２７】
さらに、本発明は、１つ以上の上述した特徴を有し、排気ガスシステムの上流側に配置されて当該排気ガスシステムに流動的に接続される内燃エンジンと、当該排気ガスシステムとを備える自動車に関する。
【００２８】
本発明のさらに重要な特徴及び効果は、従属請求項、図面、図面に関する説明から把握される。
【００２９】
前記特徴及び下記特徴は、本発明の趣旨に逸脱しない範囲で、示された各組み合わせにおいてだけでなく、他の組み合わせにおいて、又は単独で使用することができる。
【００３０】
本発明の好ましい例示的な実施の形態は、図面に例示され、下記説明にてさらに詳述される。ここでは、同一符号は、機能的に同一の構成要素又はその同類物を示す。
【図面の簡単な説明】
【００３１】
【図１】従来技術に係る排気ガスシステムの概略図である。
【図２】本発明に係る排気ガスシステムの概略図であり、図２（ａ）は側面図を示し、図２（ｂ）は裏面図を示す。
【図３】図２に示した実施形態の第１変形例であり、偏向部材が湾曲状に構成された例を示す図である。
【図４】図２に示した実施形態の第２変形例であり、偏向部材が角度を有して構成された例を示す図である。
【図５】図２に示した実施形態の第３変形例であり、偏向部材が湾曲状に構成されている例を示す図である。
【図６】図２に示した実施形態の第４変形例であり、取付部材が２部材で構成されている例を示す図である。
【発明を実施するための形態】
【００３２】
図１の説明図では、排気ガスシステム１００が概略図で示されている。排気ガスシステム１００は、排気ガス浄化装置１０１を有している。この排気ガス浄化装置１０１は、例えば、自動車の内燃エンジン（図略）から排出される排気ガス１０２の浄化をするためのディーゼル酸化触媒コンバータとして構成され得る。当該ディーゼル酸化触媒コンバータにより、例えば、排気ガス１０２中のＣＯ及びＣｍＨｎの排出低減が可能である。
【００３３】
選択的接触還元のため、インジェクタタイプの還元剤供給装置１０３が、排気ガス浄化装置１０１の下流側に配置可能とされている。この剤供給装置１０３により、例えば、尿素水溶液といった還元剤先駆物質を排気ガスシステム１００内に導入可能となっている。この尿素水溶液は、排気ガス流の範囲内で熱的に及び／又は触媒を用いることで、排気ガス浄化装置１０１の下流側となる領域１０４内で還元剤（例えば、アンモニア）に変換される。粒子フィルタ１０６（「ＳＤＰＦ」）は、領域１０４の下流側に配置される。排気ガス中に尿素水溶液を効果的に混合させるために、例えば、多孔質混合器等の形で、適切な混合部材を領域１０４に配置できる（明確化のために図１では不図示）。この代替策として、特に好ましい排気ガスと尿素水溶液との混合を達成するために、図１に示すように、排気ガスシステムの領域１０４内にインジェクタ１０３により注入される尿素水溶液の流れ方向Ｒが、少なくとも部分的に排気ガスシステム１００内の排気ガスの流れ方向１０２に反する向きとされている。
【００３４】
しかしながら、この短所は、図１に示される尿素水溶液１０５の一部が、排気ガス浄化装置１０１内に浸透する可能性があり、望ましくない沈殿物等が、その中に形成されてしまうことである。さらに、尿素水溶液又はそれから形成されるアンモニア（ＮＨ３）は、排気ガス浄化装置１０１の、例えばパラジウム又はプラチナの表面コーティングにより、窒素酸化物（ＮＯｘ）に反応するおそれがある。これらの作用は、排気ガスシステム１００の浄化能力低下を招く。
【００３５】
また、排気ガスシステム１００の領域１０４において、尿素水溶液と排気ガスとを効果的に混合するために多孔質混合器等を採用する場合、この多孔質混合器に反映される還元剤が、類似した方法でディーゼル酸化触媒コンバータに浸透する可能性があり、上記沈殿物又は望ましくない副生成物（例えば、ＮＯｘ）をもたらすおそれがある。
【００３６】
一方、図２の説明図には、本発明に係る排気ガスシステムが示されている。ここで、図２（ａ）は排気ガスシステムの概略側面図を示し、図２（ｂ）は排気ガスシステム１を排気ガスの流れ方向に反する方向から見た図である。図２では、本発明に係る排気ガスシステムは１で示されている。
【００３７】
排気ガスシステム１は、自動車（不図示）の内燃エンジンから排出される排気ガス３を浄化するためのディーゼル酸化触媒として排気ガス浄化装置２を有する。排気ガス浄化装置２の下流側、又は排気ガス浄化装置２から間隔をおいて、還元剤供給装置４が配置されている。これにより、図２（ａ）に概略的に示されている還元剤５を排気ガスシステム１内に導入可能としている。還元剤供給装置４により、好ましい例としての尿素水溶液といった還元剤先駆物質溶液を排気ガスシステム１内に導入可能となる。排気ガス浄化装置２の下流側の領域６では、還元剤先駆物質を排気ガスシステム１から排気ガス３と混合することができ、結果として、還元剤（尿素水溶液の場合はアンモニア（ＮＨ３））を生成することができる。還元剤により、排気ガス３に含まれる酸化窒素（ＮＯｘ）を窒素（Ｎ２）に還元することができる。
【００３８】
排気ガスを還元剤先駆物質と効果的に混合させるために、後者を、少なくとも部分的には、排気ガス３の流れ方向に反する方向となる流れ方向Ｓに、システム１内に注入する（図２（ａ）参照）。このとき、還元剤先駆物質溶液又はここから形成される還元剤が排気ガス浄化装置２に進入する可能性がある。このため、本発明では、還元剤偏向装置７が、排気ガス浄化装置２と還元剤供給装置４との間に配置されている。この還元剤偏向装置７は、刃形に構成された還元剤偏向部材８を少なくとも１個有している。
【００３９】
図２（ａ）では、このような還元剤偏向部材８が８つ例示されている。また、変形例として、異なる数の還元剤偏向部材８を設けることができることも明らかである。還元剤又は還元剤先駆物質は還元剤供給装置４により排気ガス装置１内に導入されるが、還元剤偏向部材８は、当該還元剤偏向部材８に当たる還元剤又は還元剤先駆物質を排気ガス浄化装置２から離れる方向に偏向するように構成されている。還元剤偏向装置７は、排気ガス浄化装置２の出口側部１０に配置又は／及び取り付けられる。好ましい変形例としては、還元剤偏向部材８を、不透明体の形で拡散方向Ｓに並べて配置又は／及び構成することができる。これにより、還元剤が排気ガス浄化装置２に浸透することを非常に適切に防ぐことができる。
【００４０】
図２（ａ）によれば、出口側部１０は、排気ガス浄化装置２の出口断面エリア１１を規定している。図２（ｂ）は、出口断面エリア１１を視認する方向からの排気ガス浄化装置２を示す。出口断面エリア１１の領域には、例えば５つの取付部材１２が配置されている。これら取付部材１２は、実質的に支柱の形で構成され、それぞれ排気ガス浄化装置２の出口側部１０における端側に設けられている。本実施の形態の変形例として、支柱の形で構成される異なる数の取付部材１２とすることも可能である。数個の還元剤偏向部材８を、各取付部材１２に配置可能である。図２（ｂ）に示すこのような各偏向部材は、単なる例である。取付部材１２は、例えば、溶接により、排気ガス浄化装置２の出口側１０における端側に取付可能である。同様に、還元剤偏向部材８を各取付部材１２に溶接することが可能である。ただし、変形例として、還元剤偏向部材８を各取付部材１２上に一体的に形成する構成も採り得る。出口断面エリア１１の領域には、少なくとも５個、更に好ましくは１０個、最も好ましくは少なくとも２０個の取付部材１２を、互いに間隔をおいて配置することが好ましい。
【００４１】
図２（ｂ）では、取付部材１２が出口断面エリア１１に線形に配置されている。各取付部材１２上に、還元剤偏向部材８を互いに間隔をおいて配置しているので、還元剤偏向部材のグリッドの原型は、還元剤偏向部材８により形成される。
【００４２】
それぞれの取付部材１２は、図２（ｂ）に例示されているように、排気ガス浄化装置２の出口断面エリア１１の領域に互いに略平行にかつ間隔をおいて配置され、実質的に直線支柱として構成することができる。
【００４３】
還元剤偏向部材８を、Ａ軸方向に直線的に構成することができる（図２（ａ）参照）。
【００４４】
図３及び図４に変形例を示す。還元剤偏向部材８は、上記Ａ軸方向に沿って構成されるが、図３に示すように湾曲状、又は、図４に示すように角度を有する形状として、それぞれ構成することも可能であり、取付部材１２上における軸端部１３にそれぞれ取り付けることができる。
【００４５】
図５に示す変形例のように、取付部材１２を、排気ガス浄化装置２の出口断面エリア１１の領域に互いに間隔をおいて配置される湾曲状の支柱としてそれぞれ構成することも可能である。
【００４６】
最後に、図６に、取付部材１２又はそれに取り付けられる還元剤偏向部材８の特定の変形例を示す。この取付部材１２は、分離された第１支柱部材１４及び第２支柱部材１５の２部材を有する柱として構成されている。第１支柱部材１４及び第２支柱部材１５の２部材は、Ａ軸方向に向かうようにして、互いに平行かつ互いに間隔をおいて配置されている。数個の還元剤偏向部材８が、第１支柱部材１４及び第２支柱部材１５の中間領域において互いに隣接して、かつ間隔をおいて軸方向に並べて配置される。例えば、還元剤偏向部材８は、溶接により、第１支柱部材１４及び第２支柱部材１５にそれぞれ端部側で取り付けられている。但し、これに代えて、還元剤偏向剤８を第１支柱部材１４及び第２支柱部材１５の２部材に一体的に形成することもできる。
【００４７】
図６の説明図では、それぞれ湾曲状に構成された還元剤偏向部材８が示されている。ただし、更なる変形例として、直線状又は角度をもって構成した還元剤偏向部材８も採用し得る（これについては、図２及び４参照）。
【図１】
2014062548.tif 000003
【図２】
2014062548.tif 000004
【図３】
2014062548.tif 000005
【図４】
2014062548.tif 000006
【図５】
2014062548.tif 000007
【図６】
2014062548.tif 000008
【外国語明細書】
2014062548000001.pdf
2014062548000002.pdf
2014062548000003.pdf
2014062548000004.pdf